(57)【要約】【課題】  換気をしないときには浴室内の保温性を十分に維持できる換気構造の提供。【解決手段】  浴室３の壁部２に形成した開口部８に換気扇９を装着し、換気扇９の浴室側前面に開閉自在な断熱性の蓋体１０を設ける。【選択図】        図１
0003103089.tif 000002
【実用新案登録請求の範囲】
【請求項１】
浴室３の壁部２に形成した開口部８に換気扇９を装着してなる浴室の換気構造において、前記換気扇９の浴室側前面に開閉自在な断熱性の蓋体１０を設けたことを特徴とする浴室の換気構造。
【請求項２】
請求項１において、前記蓋体１０は換気扇９を起動−停止するスイッチ２２の操作に連動して開閉駆動する電動駆動式としたことを特徴とする浴室の換気構造。
【考案の詳細な説明】
【技術分野】
【０００１】
本考案は建物内に配置した浴室の換気構造に関し、特に浴室の換気扇周りの断熱性を向上した換気構造に関する。
【背景技術】
【０００２】
一般に住宅などの建物内に配置した浴室においては、内部の換気を行うため壁部に換気扇が設けられる。すなわち壁部の一部に形成した方形等の開口部に換気扇を装着した換気構造が設けられる。そして入浴後の清掃時など、必要に応じて浴室内に充満した蒸気を排出するために換気扇を起動する。
【考案の開示】
【考案が解決しようとする課題】
【０００３】
一般に換気扇は入浴前および入浴中などには停止した状態にしておき、できるだけ浴室内の温度を維持することが望ましい。しかし換気扇を設けた開口部を通して浴室内は建物外と連通しているので、例え換気扇に開閉ルーバを設けたとしても、換気扇の停止時においてはその開閉ルーバの隙間から浴室内の暖められた空気が建物外に漏洩し、浴室の保温機能を低下させることになる。
【０００４】
しかし前記のように換気扇を停止している期間も絶えず浴室内の暖かい空気が建物外に漏洩するので、浴室の保温が十分行われないという問題がある。そこで本考案はこの問題を解決することを課題とする。
【課題を解決するための手段】
【０００５】
前記課題を解決する本考案に係る浴室の換気構造は、浴室の壁部に形成した開口部に換気扇を装着してなる浴室の換気構造において、換気扇の浴室側前面に開閉自在な断熱性の蓋体を設けたことを特徴とする。そして本考案の好ましい実施形態においては、前記蓋体は換気扇を起動−停止するスイッチの操作に連動して開閉駆動する電動駆動式とすることができる。
【考案の効果】
【０００６】
本考案に係る浴室の換気構造によれば、換気扇の浴室側前面に開閉自在な断熱性の蓋体を設けたので、換気扇を停止しているときには蓋体を閉じで開口部を完全に閉鎖することができる。そのため換気扇を起動しているとき以外に浴室の暖かい空気が開口部から建物外に漏洩することがない。さらに蓋体は断熱性を有するので、浴室内から蓋体を通して建物外に暖かい空気が伝熱して保温効果を低下させることもない。従って、これらの相乗効果により浴室内の保温性が十分に維持される。
【考案を実施するための最良の形態】
【０００７】
次に図面により本考案を実施するための最良の形態を説明する。図１は本考案の換気構造を設置した浴室の平断面図で、図２はその換気構造部分を拡大した部分断面図である。これらの図において、浴室３は建物１の周囲を構成する断熱性の壁部２の内側に配置され、その浴室３と居室等との仕切り壁４の一部に浴室扉５が設けられる。そして浴室３内には浴槽６と洗い場７が設けられる。
【０００８】
浴室３に面した壁部２の一部に方形の開口部８が形成され、その開口部８にビスやボルト等の固定具で換気扇９の外周が着脱自在に装着される。そして換気扇９の浴室側前面に開閉自在な断熱性の蓋体１０が設けられ、これら開口部８、換気扇９および蓋体１０により本考案の換気構造１１が構成される。
【０００９】
図２に示すように、換気構造１１を構成する蓋体１０は厚さが比較的薄い平坦な箱体１２とその内部に充填した断熱層１３を有する。箱体１２が開口部８に当接する側の面積は開口部８の断面積より僅かに大きく形成され、その一方の端部がヒンジ機構１４で壁部２に回転自在に連結される。また箱体１２の他方の端部に鉄やフェライト等の磁性材料からなる吸着片１５が設けられ、その吸着片１５に対向する壁部２の内側に永久磁石等の磁石１６が設けられる。さらに、箱体１２の周縁には気密保持用のシールパッキン１２ａが貼着されている。
【００１０】
さらに箱体１２の他方の端部には開閉操作用のノブ１７が設けられ、このノブ１７を引くことにより磁石１６への吸着片１５の吸着力に抗してヒンジ機構１４を支点として蓋体１０を矢印のように回転する（蓋体１０を開状態にする）ことができる。またノブ１７を逆に操作すると蓋体１０が元の状態に戻り、吸着片１５が磁石１６に吸着して閉状態になる。なお箱体１２内の断熱層１３は、例えばグラスウール、岩綿、発泡ポリウレタン等の断熱性の高い柔軟性を有する材料を層状に充填して形成される。
【００１１】
浴室３内の換気をする場合には、ノブ１７を引いて蓋体１０を開いた状態にし、例えば図示しない起動−停止用のスイッチを操作して換気扇９を起動する。この操作により浴室３内の空気は開口部８から建物外に強制排気され、浴室３内が換気される。換気操作を停止するには換気扇９を停止すると共に蓋体１０を閉じる。それによって開口部８は完全に閉鎖され、浴室３内の暖かい空気が建物外に漏洩することを防止する。さらに断熱層１３の効果により蓋体１０を通して浴室３内の暖かい空気が建物外に伝わることも防止する。
【００１２】
図３は本考案に係る換気構造の他の実施形態を図２に準じて示す部分拡大断面図である。本実施形態が図２に示す例と異なる部分は蓋体１０の開閉機構のみであり、そのほかは図２と同様に構成される。したがって同じ部分には同一符号を付し、重複する説明は省略する。
【００１３】
換気構造１１を構成する換気扇９は、その外周が開口部８にビスやボルト等の固定具で着脱自在に装着された枠状の本体１８を備え、その本体１８にファンモータ１９が固定され、ファンモータ１９の回転軸には回転翼２０が連結される。また本体１８から浴室３側にラッパ状のシュラウド２１が延長している。なおシュラウド２１は回転翼２０の通風効率を向上させるために必要に応じて設けられる。
【００１４】
蓋体１０は平坦部１０ａとその周辺部から折れ曲がって延長される傾斜部１０ｂを有する薄い台形状に形成され、図２の例と同様に全体が箱体１２とされ、その内部に断熱層１３が充填される。そして図示のように蓋体１０が閉じた状態においては、蓋体１０の４辺が開口部８の縁部近傍における壁部２の内側に接している。
【００１５】
蓋体１０の一方の端部近傍はヒンジ機構１４で壁部２に回転自在に連結される。本実施形態におけるヒンジ機構１４は電動駆動式とされ、換気扇９を起動−停止するスイッチ２２に連動して駆動するようになっている。ヒンジ機構１４は壁部２の内側に固定した容器状の本体２３と、本体２３内に配置した可逆駆動モータ２４と、可逆駆動モータ２４の回転軸に形成したウォーム２５と、ウォーム２５に噛み合うウォーム歯車２６と、ウォーム歯車２６の回転軸から半径方向に延長した連結部材２７を備えており、その連結部材２７に蓋体１０が連結している。
【００１６】
次に図３の換気構造の作用について説明する。換気をしないとき、すなわちスイッチ２２が停止位置にあるときは換気扇９が停止して蓋体１０も図示のような閉じた状態になっている。換気を行うためスイッチ２２を換気位置にすると、ファンモータ１９が回転して換気扇９が起動すると共に、可逆駆動モータ２４が正方向に回転して蓋体１０を開方向に旋回駆動する。従って、浴室３内の空気は換気扇９により建物外に効率よく排出されて十分な換気が行われる。
【００１７】
上記の換気状態から再び停止状態に戻すには、スイッチ２２を起動位置から停止位置に切り換える。その操作により換気扇９が停止すると共に、可逆駆動モータ２４が逆方向に回転して蓋体１０を閉方向に回転駆動する。これによって、浴室３内の保温効果は維持される。
【産業上の利用可能性】
【００１８】
本考案に係る浴室の換気構造は建物内に配置した浴室の換気を行うために利用できる。
【図面の簡単な説明】
【００１９】
【図１】本考案の換気構造を設置した浴室の平断面図。
【図２】図１の換気構造部分を拡大した部分断面図。
【図３】本考案に係る換気構造の他の実施形態を図２に準じて示す部分拡大断面図。
【符号の説明】
【００２０】
１  建物
２  壁部
３  浴室
４  仕切り壁
５  浴室扉
６  浴槽
７  洗い場
８  開口部
９  換気扇
１０  蓋体
１０ａ  平坦部
１０ｂ  傾斜部
【００２１】
１１  換気構造
１２  箱体
１２ａ  シール用パッキン
１３  断熱層
１４  ヒンジ機構
１５  吸着片
１６  磁石
１７  ノブ
１８  本体
１９  ファンモータ
２０  回転翼
【００２２】
２１  シュラウド
２２  スイッチ
２３  本体
２４  可逆駆動モータ
２５  ウォーム
２６  ウォーム歯車
２７  連結部材
【図１】
0003103089.tif 000003
【図２】
0003103089.tif 000004
【図３】
0003103089.tif 000005